(57)【要約】【課題】陳列する長尺な商品の長短あるいは大小さまざまな寸法や細分化された商品であっても、横倒れや枠体外に食み出すことなく、陳列を効率よく行うことができる商品陳列装置を提供する。【解決手段】左右１対の側枠２、２を複数の横連結杆４ａ〜４ｄ、６ａ，６ｂおよび７ａ，７ｂにより連結し形成した枠体９内に、商品陳列部を形成した商品陳列装置であって、左右の側枠２，２における前後の支柱３ａ，３ｂ間に、後傾する補助支柱１０を配設するとともに、この左右１対の補助支柱１０，１０間に、左右方向の中仕切杆１１Ａを取り付ける。【選択図】図１
2007307074.tif 000002
【特許請求の範囲】
【請求項１】
左右１対の側枠を複数の横連結杆により連結し形成した枠体内に、商品陳列部を形成した商品陳列装置であって、
左右の各側枠における前後１対の支柱間に、後傾する補助支柱を配設するとともに、この左右１対の補助支柱間に、左右方向の中仕切杆を取り付けて、左右の側枠間における中仕切板の前方の空間を商品陳列部としたことを特徴とする商品陳列装置。
【請求項２】
左右1対の補助支柱に、上下方向に複数の係止孔を並設し、この係止孔に、中仕切杆の両端部に設けたフックを係合させて、上下方向の所望の位置に中仕切杆を着脱自在に取り付けたことを特徴とする請求項１記載の商品陳列装置。
【請求項３】
左右1対の補助支柱間に、上下方向に所望の間隔をもって、複数の中仕切杆を取り付けたことを特徴とする請求項１または２記載の商品陳列装置。
【請求項４】
中仕切杆に、商品陳列用の支持部材を取着したことを特徴とする請求項１〜３のいずれか記載の商品陳列装置。
【請求項５】
支持部材を、上下に隣設する中仕切杆間に跨るように取り付けたことを特徴とする請求項４記載の商品陳列装置。
【請求項６】
前端に上向きフックを設けた支持部材を前方に延出させて、中仕切杆に取り付けたことを特徴とする請求項４記載の商品陳列装置。
【請求項７】
支持部材を、左右方向に摺動調整可能にかつ着脱自在に中仕切杆に取り付けたことを特徴とする請求項４〜６のいずれか記載の商品陳列装置。
【請求項８】
枠体の下部に、中仕切杆に立て掛けられた長尺な商品の下端が載置される台座を配置し、この台座の前端に、長尺な商品の下端が前方へ移動するのを阻止するための落下防止部を形成したことを特徴とする請求項１記載の商品陳列装置。
【発明の詳細な説明】
【技術分野】
【０００１】
本発明は、ホームセンター、バラエティーストア、建築材料店等において使用される材木、パイプ、物干し竿等の長尺な商品の陳列に用いられる商品陳列装置に関する。
【背景技術】
【０００２】
従来の長尺な商品の商品陳列装置は、左右両側の前下端部同士を前部横連結杆により連結し、この横連結杆に、抑え板の前端部を載置するとともに、前部から後部に向かって下向きに傾斜する抑え板の後端部を、直接床面上に載置することにより、長尺な商品の重量が、前部横連結杆に掛かるように構成したものが提案されている（特許文献１参照）。また、前後１対の支柱を横桟により連結して左右１対の側枠を形成し、この左右の側枠間を、中仕切杆により連結し、この中仕切杆を、前後および上下に位置調整可能にするとともに、中仕切杆に対して、前後方向に延びる仕切板を、左右方向に位置調整可能にすることにより、陳列商品の寸法に合わせて、前後面の商品陳列部分の奥行き寸法や中仕切杆の高さ等を自由に変更できるように構成したものが提案されている（特許文献２参照）。
【０００３】
【特許文献１】特開２０００−１５７３８７号公報
【特許文献２】特許第３００４６２号公報
【発明の開示】
【発明が解決しようとする課題】
【０００４】
しかし、このような従来の商品陳列装置では、陳列した長尺な商品の上部が左右方向に滑って横倒れし易く、また、比較的短寸法のものでは、長尺な商品の上部が、枠体の外に食み出し易いという問題があった。
【０００５】
本発明は、上述の問題点に鑑み、陳列する長尺な商品の長短あるいは大小さまざまな寸法や細分化された商品であっても、横倒れや枠体外に食み出すことなく、陳列を効率よく行うことができる商品陳列装置を提供することを目的としている。
【課題を解決するための手段】
【０００６】
本発明によると、上記課題は、次のようにして解決される。
(１) 左右１対の側枠を複数の横連結杆により連結し形成した枠体内に、商品陳列部を形成した商品陳列装置であって、左右の各側枠における前後１対の支柱間に、後傾する補助支柱を配設するとともに、この左右１対の補助支柱間に、左右方向の中仕切杆を取り付けて、左右の側枠間における中仕切板の前方の空間を商品陳列部とする。
【０００７】
(２)上記(１)項において、左右1対の補助支柱に、上下方向に複数の係止孔を並設し、この係止孔に、中仕切杆の両端部に設けたフックを係合させて、上下方向の所望の位置に中仕切杆を着脱自在に取り付ける。
【０００８】
(３)上記(１)または(２)項において、左右1対の補助支柱間に、上下方向に所望の間隔をもって、複数の中仕切杆を取り付ける。
【０００９】
(４)上記(１)〜(３)項のいずれかにおいて、中仕切杆に、商品陳列用の支持部材を取着する。
【００１０】
(５)上記(４)項において、支持部材を、上下に隣設する中仕切杆間に跨るように取り付ける。
【００１１】
(６)上記(４)項において、前端に上向きフックを設けた支持部材を前方に延出させて、中仕切杆に取り付ける。
【００１２】
(７)上記(４)〜(６)項のいずれかにおいて、支持部材を、左右方向に摺動調整可能にかつ着脱自在に中仕切杆に取り付ける。
【００１３】
(８)上記(１)項において、枠体の下部に、中仕切杆に立て掛けられた長尺な商品の下端が載置される台座を配置し、この台座の前端に、長尺な商品の下端が前方へ移動するのを阻止するための落下防止部を形成する。
【発明の効果】
【００１４】
本発明によれば、次のような効果を奏することができる。
(ａ)請求項１記載の発明によれば、左右の側枠における前後の支柱間に、後傾する補助支柱を配設し、この左右１対の補助支柱間に、左右方向の中仕切杆を取り付けて、左右の側枠間における中仕切板の前方の空間を商品陳列部としたので、立て掛けられる長尺な商品の受け面となる中仕切杆の前面が、補助支柱の後傾により後方に傾斜するため、長尺な商品を安定して陳列することができる。
【００１５】
(ｂ)請求項２記載の発明によれば、左右1対の補助支柱における上下方向に並設した複数の係止孔に、中仕切杆の両端部に設けたフックを係合させて、上下方向の所望の位置に中仕切杆を着脱自在に取り付けたので、中仕切杆の現地での取付けおよび取外しを容易に行うことができるとともに、中仕切杆を上下方向に位置調整することができるため、立て掛けられる長尺な商品の長短あるいは大小さまざまな寸法や細分化された商品であっても、枠体内から食み出すことなく、陳列を効率よく行うことができる。
【００１６】
(ｃ)請求項３記載の発明によれば、左右1対の補助支柱間に、複数の中仕切杆を上下方向に所望の間隔をもって取り付けたので、立て掛けられる長尺な商品の長短あるいは大小さまざまな寸法や細分化された商品であっても、枠体内から食み出すことなく、陳列を効率よく行うことができる。
【００１７】
(ｄ)請求項４記載の発明によれば、商品陳列用の支持部材を中仕切杆に取着したので、枠体内の商品陳列部を、支持部材により左右に区画しうるように仕切ることができ、長尺な商品の横倒れを防止することができるとともに、長尺な商品の長さに応じた区分陳列を効率よく行うことができる。
【００１８】
(ｅ)請求項５記載の発明によれば、支持部材を、上下に隣設する中仕切杆間に跨るように取り付けたので、補助支柱の後傾により、上部の中仕切杆が後方に、下部の中仕切板が前方に位置するようになるため、支持部材を、中仕切板に立て掛けられる長尺な商品の後傾に合わせて、見栄えよく上向きに傾斜させることができるとともに、長尺な商品の横倒れを防止することができる。
【００１９】
(ｆ)請求項６記載の発明によれば、中仕切杆に、前端に上向きフックを設けた支持部材を前方に延出させて取り付けたので、長尺な商品を上向きフックに吊支して陳列することができ、しかも、補助支柱の後傾に応じて、支持部材が上向きに傾斜させることができるため、中仕切杆の高さ以上の長さの長尺な商品を吊支することができ、長尺な商品の吊支陳列を、容易にかつ効率よく行うことができる。
【００２０】
(ｇ)請求項７記載の発明によれば、支持部材を、中仕切杆の左右方向に摺動調整可能にかつ着脱自在に取り付けたので、支持部材を左右に容易に位置調整することができる。
【００２１】
(ｈ)請求項８記載の発明によれば、長尺な商品の下端の前方への滑りを阻止することができるため、台座上からの長尺な商品の摺り落を防止することができる。
【発明を実施するための最良の形態】
【００２２】
以下、本発明の一実施形態を、図面に基づいて説明する。図１は、本発明の一実施形態を示す斜視図、図２は、図１のＡ円内における補助支柱と中仕切杆との連結状態を拡大して示す分解斜視図、図３は、中仕切杆への支持部材の取付状態を拡大して示す分解斜視図、図４は、中仕切杆への他の支持部材の取付状態を拡大して示す分解斜視図である。
【００２３】
この商品陳列装置は、図１に示すように、立て掛けられる長尺な商品(W1)(W2)の下端が載置される平面視矩形をなす台座(１)の左右端に対向させた１対の側枠(２)(２)を有する。各側枠(２)は、前後１対の支柱(3a)3b)を有し、前後の支柱(3a)3b)間は、上下方向に所定の間隔をもって前後方向に配設した４本の横連結杆としての横桟(4a)(4b)(4c)(4d)により連結されている。前後の支柱(3a)3b)および各横桟(4a)〜(4d)により囲繞される各空間の上下方向の対角線上には、筋交(5a)(5b)(5c)がそれぞれ互い違いに配設されている。
【００２４】
左右１対の側枠(２)(２)は、前部の支柱(3a)(3a)間に、左右方向を向く上下１対の前部横連結杆(6a)(6b)を配設し、後部の支柱(3b)(3b)間に、左右方向を向く上下１対の後部横連結杆(7a)(7b)を配設するとともに、前後の支柱(3a)(3a)および(3b)(3b)間の上下中段部位より下方の位置に、中間横連結杆(8a)(8b)を前後に配設して、それぞれ連結することにより、枠体(９)を形成している。
【００２５】
前後の支柱(3a)(3b)間には、後傾する補助支柱(10) が上下方向に配設され、左右１対の側枠(２)(２)における左右１対の補助支柱(10)(10)間には、上下方向に所定の間隔をもって、左右方向を向く複数本（図示の例では３本）の中仕切杆(11A(11B)(11C)が、それぞれ連結されている。これらの中仕切杆(11A)(11B)(11C)、例えば上段の中仕切杆(11A)は、図２に示すように（図示の形態では、一方の端部のみの連結状態を示す）、矩形断面の鋼管材からなる杆本体(12)と、この杆本体(12)の端部に溶接され平面視Ｌ字形の係合片(13)と、この係合片(13)の外側端に形成された後方を向く３個の下向きフック(14)とを有している。
【００２６】
各々の下向きフック(14)は、補助支柱(10)における前面(10a)の左右両端に、上下方向に等間隔をもって逆ハの字状に傾斜させて並設した複数の係止孔(15)に係合させることにより、各中仕切杆(11A)(11B)(11C)における左右の両端部を、補助支柱(10)(10)間における上下方向の所望の位置に着脱自在に連結し、左右の側枠(２)(２)間における中仕切板(11A)(11B)(11C)の前方の空間を商品陳列部としている。
【００２７】
枠体(９)内には、左右に区画しうるように仕切る第１の支持部材(16)が、上下に隣接して対向する中仕切杆(11A)(11B)間に跨って取り付けられている（図１参照）。この第１の支持部材(16)は、図３に示すように、ワイヤーにより、前方に直線的に平行に延びる上下１対の支持辺部(17)(18)と、これら上下両支持辺部(17)(18)の前端間を連結しかつ後方に向け「く」の字型に屈曲させた前部支持辺部(19)とを連続的に折曲して形成するとともに、この前部支持辺部(19)の屈曲部(19a)および上下両支持辺部(17)(18)の後端側間に垂直辺部(20)を配置して、溶接等により連結した形態を有する。
【００２８】
上下両支持辺部(17)(18)における各々の後端には、上下１対の取付金具(21)(21)が設けられている。各取付金具(21)は、上下の支持辺部(17)(18)における後端から垂下する基片(22)と、この基片(22)の上下両端から後方に延びる上下１対の水平片(23)(24)と、この上部水平片(23)の後端から垂下する係止片(25)と、前記下部水平片(24)に穿設した雌ねじ孔(26)と、この雌ねじ孔(26)に下部水平片(24)の下方から上方に向けて螺合される蝶ネジ(27)とで構成されている。
【００２９】
ここで、上下の取付金具(21)(21)の間隔Ｌ１は、上下に対向して配設された中仕切杆(11A)(11B)の上下間隔Ｌ２とほぼ同一になっている。上下の水平片(23)(24)の間隔Ｌ３は、中仕切杆(11)の上下幅Ｌ４より僅かに大きくしてある。また、係止片(25)は、中仕切杆(11)の背面上部に凹設した左右方向に延びる凹段部(11a)に係合されるようになっている。上下に隣接して対向する中仕切杆(11)(11)間への第１の支持部材(16)の取付けは、次のようにして行われる。
【００３０】
第１の支持部材(16)の各取付金具(21)を、側面視コ字状に形成される基片(22)と上下の水平片(23)(24)とにより、上下の中仕切杆(11A)(11B)にそれぞれ噛持させるとともに、係止片(25)を、中仕切杆(11A)(11B)の凹段部(11a)(11a)に係合させる。次いで、下部水平片(24)の雌ねじ孔(26)に、蝶ネジ(27)を下部水平片(24)の下方から上方に向けて螺合し、蝶ネジ(27)の上端を、中仕切杆(11A)(11B)の下面に突き当てるようにして、各々の取付金具(21)(21)を中仕切杆(11A)(11B)に締結することにより、第１の支持部材(16)を、左右方向の所望の位置に摺動調整しながら、上下に隣接して対向する中仕切杆(11A)(11B)間に跨って、着脱自在に取り付けうるようになっている。
これにより、第１の支持部材(16)は、後傾する左右の補助支柱(10)(10)間に連結された中仕切杆(11A)(11B)が、前後にずれて配設されているため、その後傾角度に応じて後傾するように取り付けられる。
【００３１】
この実施形態においては、図１に示すように、第１の支持部材(16)を、上段の中仕切杆(11A)(11B)間と、中段の中仕切杆(11B(11C)間とに左右対にして取り付け、上段における左右の第１の支持部材(16)(16)間に、長寸法の長尺な商品(W1)を立て掛けて陳列し、中段における左右の第１の支持部材(16)(16)間に、比較的短寸法の長尺な商品(W2)を立て掛けて陳列するようになっている。
【００３２】
図４は、第２の支持部材(28)を示し、この第２の支持部材(28)は、前後方向に延びる支持杆(29)と、この支持杆(29)の前端に設けた上向きフック(30)とを有し、支持杆(29)の後端には、上記第１の支持部材(16)と同様に、取付金具(31)が設けられている。この各取付金具(31)は、支持杆(29)の後端に溶接等により固着した基片(32)と、この基片(32)の上下両端から後方に延びる上下１対の水平片(33)(34)と、この上部水平片(33)の後端から垂下する係止片(35)と、前記下部水平片(34)に穿設した雌ねじ孔(36)と、この雌ねじ孔(36)に下部水平片(34)の下方から上方に向けて螺合される蝶ネジ(37)とで構成されている。第２の支持部材(28)は、上段の中仕切杆(11A)に取り付けられるものであるが、取付金具(31)による第２の支持部材(28)の取り付けは、上記第１の支持部材(16)と同様であるので、その説明は省略する。
【００３３】
この実施形態においては、図１に示すように、２本の第２の支持部材(28)を、上段の中仕切杆(11)に取り付け、これらの第２の支持部材(28)(28)における支持杆(29)前端の上向きフック(30)に、長寸法の長尺な商品(W1)を吊支して陳列するようになっている。
【００３４】
図１に示すように、枠体(９)の下部に配置した台座(１)の前端には、長尺な商品(W1)(W2)下端の前方への移動を阻止する落下防止部(38)が設けられている。この落下防止部(38)は、枠体(９)前部の下部横連結杆(6b)の上端縁を、台座(１)の上面(1a)から突出させることにより形成している。
【図面の簡単な説明】
【００３５】
【図１】本発明の一実施形態を示す斜視図である。
【図２】図１のＡ円内における補助支柱と中仕切杆との連結状態を拡大して示す分解斜視図である。
【図３】中仕切杆への支持部材の取付状態を拡大して示す分解斜視図である。
【図４】中仕切杆への他の支持部材の取付状態を拡大して示す分解斜視図である。
【符号の説明】
【００３６】
(１)台座
(1a)上面
(２)側枠
(3a)前部支柱
(3b)後部支柱
(4a)〜(4d)横桟
(5a)〜(5c)筋交
(6a)(6b)前部横連結杆
(7a)(7b)後部横連結杆
(8a)(8b)中間横連結杆
(９)枠体
(10)補助支柱
(10a)前面
(11A)〜(11C)中仕切杆
(11a)凹段部
(12)杆本体
(13)係合片
(14)下向きフック
(15)係止孔
(16)第１の支持部材
(17)上部支持辺部
(18)下部支持辺部
(19)前部支持辺部
(19a)屈曲部
(20)垂直辺部
(21)取付金具
(22)基片
(23)上部水平片
(24)下部水平片
(25)係止片
(26)雌ねじ孔
(27)蝶ねじ
(28)第２の支持部材
(29)支持杆
(30)上向きフック
(31)取付金具
(32)基片
(33)上部水平片
(34)下部水平片
(35)係止片
(36)雌ねじ孔
(37)蝶ねじ
(38)落下防止部
(W1)長尺な商品
(W2)長尺な商品
【図１】
2007307074.tif 000003
【図２】
2007307074.tif 000004
【図３】
2007307074.tif 000005
【図４】
2007307074.tif 000006